(57)【要約】  開口部２を封止する開閉可能な封止部３を備えた輸送用包装袋であって、熱可塑性を有する合成樹脂フィルムからなる２枚の包装材４，５の間に、繊維状に引き伸ばした合成繊維に親水処理を施して布状とした吸収材６を挟み込み、開口部３を残し吸収材６を挟み込んだ縁部７を熱溶着して袋体１とした。
2011052000.tif 000002
【特許請求の範囲】
【請求項１】
開口部を封止する開閉可能な封止部を備えた輸送用包装袋であって、熱可塑性を有する合成樹脂フィルムからなる２枚の包装材の間に、繊維状に引き伸ばした合成繊維に親水処理を施して布状とした吸収材を挟み込み、開口部を残し吸収材を挟み込んだ縁部を熱溶着して袋体としたことを特徴とする輸送用包装袋。
【請求項２】
前記親水処理を施した合成繊維にあっては、合成繊維の表面に親水処理を施した熱可塑性樹脂をラミネートしたものであることを特徴とする請求項１に記載の輸送用包装袋。
【請求項３】
前記繊維状に引き伸ばす合成樹脂は、親水基を有する合成樹脂であることを特徴とする請求項１または２のいずれか１に記載の輸送用包装袋。
【請求項４】
前記袋体の開口部を封止する封止部は、ジッパー又はシールチャックであることを特徴とする請求項１、２または３のいずれか１に記載の輸送用包装袋。
【請求項５】
前記包装材となる合成樹脂フィルムは透明であることを特徴とする請求項１、２、３または４のいずれか１に記載の輸送用包装袋。
【発明の詳細な説明】
【技術分野】
【０００１】
本発明は、液体を入れた容器や染み出る液体を含有する食品等の物品を輸送するために使用される輸送用包装袋に関する。
【背景技術】
【０００２】
液体を入れた容器を輸送する場合、容器の破損或いはキャップの緩み等で液体がこぼれ出ることがあり、これが原因で他の輸送物を汚すことがある。従来、このような問題を防止するため、こぼれ出た液体を吸収するために吸収材で容器を覆い、これを包装袋に入れ、その上から別な包装袋に入れる２重包装を行うか、包装袋の代わりに破損防止のできる堅牢な容器に入れていた。これらには手間とコストがかかることが余儀なくされ、その簡易化が望まれていた。【０００３】
このような要求に応えるものとして、シート状基材の少なくとも一方の面にフィルム層を積層した積層体から構成された、液が漏れないようにつくられた包装袋と、該包装袋の内部に設けられた液体吸収体とからなる封筒が提案されている（例えば、特許文献１参照。）。【０００４】
しかし、ここで提案されている封筒は、包装袋がシート状基材とフィルム層との積層体で構成されていることや、包装袋と液体吸収体とが全く別工程で別体として形成され、包装袋内に液体吸収体を内蔵して構成されており、その製造に手間がかかり、コストの面で必ずしも満足できるものとはなっていない。【０００５】
最近、体の健康状態を診断するために、検体の輸送を行う頻度が増し、検体を収容した容器の輸送が多く行われている。かかる容器の輸送に液が漏れないようにつくられた包装袋で容器を包装することが望まれるが、前記提案されているような封筒ではコストに難があり、より安価な包装袋が望まれている。【０００６】
例えば、防漏の目的では３方が熱溶着され、開口部に封止部を備えた合成樹脂製の包装袋がこの目的を果たす。包装袋の包装材としては、ポリエチレン、ＰＥＴ、ナイロン、ポリプロピレン等の合成樹脂フィルム、又はこれらを組み合わせ、若しくはこれらとアルミ箔との組み合わせが考えられる。袋体内にこぼれ出た液体を全て吸収する吸収材が設けられると完全である。【０００７】
袋体内に設けられる吸収材には、紙、不織布、フィルター等、繊維状構造体による吸水性（親水性）をもつ材質が好ましい。さらに、吸収材が包装袋の内面に固定されていると、容器の出し入れをする際に吸収材が追従せず、容器の出し入れが容易となり好ましい。
内設させる吸収材を固定するには、合成樹脂フィルムからなる包装材を重ね合わせて製袋にするときに吸収材を挟み込み、吸収材を挟み込んだ周辺部を熱溶着すれば良い。このようにすることにより製造も簡単となりコストの低減も図れる。【０００８】
しかし、合成樹脂フィルムからなる包装材に挟み込んだ吸収材は、熱溶着部分で繊維間の隙間を保持したまま固定されることになり、この繊維間の隙間は毛細管現象により液体の通過を容易にさせることから、袋体内で液漏れがあった場合、吸収材に吸収された液体が、前記の熱溶着された部分における繊維間の隙間から袋体外に染み出だしてしまい、液漏れを防止する包装袋としては適さないものとなってしまう。【０００９】
そこで、吸収材として熱可塑性の樹脂により形成される繊維状構造体を使用すれば、合成樹脂フィルムからなる包装材を熱溶着したとき、吸収材の繊維状構造体が溶融して壊され、溶着部分に毛細管現象は起こらず、袋体内の液が外に染み出すことはない。しかし、熱可塑性の樹脂により形成される繊維状構造体は液の吸着が殆ど起こらず、吸収材としては不適当である。【００１０】
また、パルプに熱可塑性樹脂の粉末を混合して繊維状構造体とし、これを吸収材とすることも考えられるが、熱可塑性樹脂の粉末の混合が少ないと、合成樹脂フィルムからなる包装材を熱溶着したとき、吸収材の繊維状構造体の繊維間の隙間が溶融した熱可塑性樹脂で完全には埋まらず、溶着部分に毛細管現象が起きて袋体内の液が外に染み出し、また、熱可塑性樹脂の粉末の混合が多いと、吸収材の繊維状構造体の繊維間の隙間が溶融した熱可塑性樹脂で完全に埋まり、溶着部分に毛細管現象は起きず袋体内の液が外に染み出すことはないが、吸収材の繊維状構造体の繊維間の隙間を熱可塑性樹脂の粉末が埋めてしまい、繊維状構造体の繊維間の隙間が小さくなることから液の吸着量が少なくなる、といった問題がある。【００１１】
このような問題を解消するものとして、合成樹脂フィルムからなる包装材の大きさより内設させる吸収材の寸法をわずかに小さくして、熱溶着する部分の最外部に吸収材を設けないようにした包装袋が考えられるが、このような包装袋は、吸収材の位置決めに手間がかかるため大量生産には不向きであり、またコストが高くなるといった問題点を有するものとなってしまう。
【先行技術文献】
【特許文献】
【００１２】
【特許文献１】特開２００１−２４７１３４号公報
【発明の概要】
【発明が解決しようとする課題】
【００１３】
そこで、本発明者等は、上記の問題点を解決すべく、研究を重ねた結果、合成樹脂フィルムに吸収材を挟み込んで熱溶着したときに、吸収材の繊維構造を喪失させることに成功し、熱溶着面全てに吸水性の高い吸収材を挟み込んでも、液体の漏れない輸送用包装袋を完成するに至った。【００１４】
本発明の目的とするところは、液体を入れた容器や染み出る液体を含有する食品等の物品を、輸送に便利な、袋体外に液体が漏れ出さず、また袋体内の物品が乾燥しないように湿度を保持することも可能にし、さらにはコストの低減を図ることができる輸送用包装袋を提供するところにある。
【課題を解決するための手段】
【００１５】
上記の目的を達成するために請求項１に記載の発明は、開口部を封止する開閉可能な封止部を備えた輸送用包装袋であって、熱可塑性を有する合成樹脂フィルムからなる２枚の包装材の間に、繊維状に引き伸ばした合成繊維に親水処理を施して布状とした吸収材を挟み込み、開口部を残し吸収材を挟み込んだ縁部を熱溶着して袋体としたことを特徴とする。【００１６】
請求項２に記載の発明は、請求項１に記載の、前記親水処理を施した合成繊維にあっては、合成繊維の表面に親水処理を施した熱可塑性樹脂をラミネートしたものであることを特徴とする。【００１７】
請求項３に記載の発明は、請求項１または２のいずれか１に記載の、前記繊維状に引き伸ばす合成樹脂は、親水基を有する合成樹脂であることを特徴とする。【００１８】
請求項４に記載の発明は、請求項１、２または３のいずれか１に記載の、前記袋体の開口部を封止する封止部は、ジッパー又はシールチャックであることを特徴とする。【００１９】
請求項５に記載の発明は、請求項１、２、３または４のいずれか１に記載の、前記包装材となる合成樹脂フィルムは透明であることを特徴とする。
【発明の効果】
【００２０】
請求項１に係る輸送用包装袋によれば、開口部を封止する開閉可能な封止部を備えた輸送用包装袋であって、熱可塑性を有する合成樹脂フィルムからなる２枚の包装材の間に、繊維状に引き伸ばした合成繊維に親水処理を施して布状とした吸収材を挟み込み、開口部を残し吸収材を挟み込んだ縁部を熱溶着して袋体としたので、間に吸収材を積層した２枚の包装材の縁部を熱溶着したとき、吸収材を構成する合成繊維が溶融して繊維間の隙間を埋めた状態で包装材と溶着することから、熱溶着部分は液体が通過しないシール状態となり、袋体内で液漏れがあった場合、吸収材に吸収された液体が、前記の熱溶着された部分から袋体外に染み出だすことことはない。
また、吸収材にあっては、繊維状に引き伸ばした合成繊維には親水処理を施しているので、袋体内で漏れた液を誘引し、吸収材の繊維間の隙間に吸収し保持することができる。【００２１】
請求項２に係る輸送用包装袋によれば、請求項１に記載の、前記親水処理を施した合成繊維にあっては、合成繊維の表面に親水処理を施した熱可塑性樹脂をラミネートしたものであるので、合成繊維の表面にラミネートした熱可塑性樹脂が袋体内で漏れた液を誘引し、吸収材の繊維間の隙間に吸収し保持することができる。【００２２】
請求項３に係る輸送用包装袋によれば、請求項１または２のいずれか１に記載の、前記繊維状に引き伸ばす合成樹脂は、親水基を有する合成樹脂であるので、袋体内で漏れた液を一層効果的に誘引し、吸収材の繊維間の隙間に吸収し保持することができる。【００２３】
請求項４に係る輸送用包装袋によれば、請求項１、２または３のいずれか１に記載の、前記袋体の開口部を封止する封止部はジッパー又はシールチャックであるので、開封、封止の操作が容易となり、包装袋の開口部の開封に際し、はさみ、ナイフ等の危険な用具が不要となる。【００２４】
請求項５に係る輸送用包装袋によれば、請求項１、２、３または４のいずれか１に記載の、前記包装材となる合成樹脂フィルムは透明であるので、袋体内の収納物の状態を袋体外より確認することができ、未開封状態で外側より、例えば、袋体内の収納物に貼り付けられたラベル或いはバーコードを外から確認することができる。
【図面の簡単な説明】
【００２５】
【図１】本発明に係る輸送用包装袋の実施の一例を示す斜視図である。
【図２】図１の輸送用包装袋の分解斜視図である。
【図３】図１の輸送用包装袋の開封状態における縦断面図である。
【図４】図１のＡ−Ａ線横断面図である。
【発明を実施するための形態】
【００２６】
本発明に係る輸送用包装袋を実施するための形態の一例を図面を参照して詳細に説明する。
図１乃至図３は本発明に係る輸送用包装袋の実施の一例を示すもので、図１は本発明に係る輸送用包装袋を示す斜視図、図２は図１の輸送用包装袋の分解斜視図、図３は図１の輸送用包装袋の開封状態における縦断面図、図４は図１のＡ−Ａ線横断面図であるである。
【００２７】
本例の輸送用包装袋は、３方が熱溶着された四角形の袋体１の開口部２に開閉可能な封止部３を備えている。前記の袋体１は、熱可塑性を有する合成樹脂フィルムからなる２枚の包装材４，５の間に吸収材６を挟み込み、開口部２を残し吸収材６を挟み込んだ縁部７を熱溶着して構成されている。
【００２８】
前記の包装材４，５となる熱可塑性を有する合成樹脂フィルムにあっては、本例では透明な合成樹脂フィルムが使用されており、この合成樹脂フィルムはポリエチレンやポリプロピレンで成形されている。
【００２９】
また、２枚の包装材４，５の間に挟み込まれる吸収材６にあっては、繊維状に引き伸ばし合成繊維に親水処理を施し、これを織り加工して布状とした構成となっている。前記親水処理を施した合成繊維にあっては、本例では合成繊維の表面に親水処理を施した熱可塑性樹脂をラミネートしたものとなっている。また、繊維状に引き伸ばす合成樹脂にあっては、特に限定されないが、親水基を有する合成樹脂、例えば、表面にアミド基、スルフォン基、カルボキシル基等の親水基を有するプラスチックが好ましい。
【００３０】
この吸収材６の形状にあっては、包装材４，５と同形状に形成されるが、縦方向（図面では上下方向）が包装材４，５より短くなっており、包装材４，５と吸収材６の底辺及び両側辺を揃えたとき、吸収材６の上辺が包装材４，５の上辺に設けられる封止部３に重ならない長さとなっている。
【００３１】
また、袋体１の開口部２に備えた封止部３にあっては、開口部６を密に封止できるものであれば特に限定されないが、ジッパー又はシールチャックであることが好ましい。本例では包装材４，５の一方の上縁に設けられた凹溝条部３ａと、他方の上縁に設けられ凹溝条部３ａに密に嵌合する凸条部３ｂとで構成されている。
【００３２】
前記の袋体１は、熱可塑性を有する合成樹脂フィルムからなる２枚の包装材４，５の間に吸収材６を挟み込み、開口部２を残し吸収材６を挟み込んだ縁部７を熱溶着して構成されるが、本例では、更に包装材４，５及び吸収材６を縦方向に熱溶着して袋体１の略中央部に分割シール部８を形成している。
【００３３】
このように構成された輸送用包装袋では、熱可塑性を有する合成樹脂フィルムからなる２枚の包装材４，５の間に、繊維状に引き伸ばした合成繊維に親水処理を施して布状とした吸収材６を挟み込み、開口部３を残し吸収材６を挟み込んだ縁部７を熱溶着して袋体１としたので、間に吸収材６を積層した２枚の包装材４，５の縁部を熱溶着したとき、吸収材６を構成する合成繊維が溶融して繊維間の隙間を埋めた状態で包装材４，５と溶着することから、熱溶着部分９は液体が通過しないシール状態となり、袋体１内で液漏れがあった場合、吸収材６に吸収された液体が熱溶着部分９から袋体１外に染み出だすことことはない。
【００３４】
また、吸収材６にあっては、繊維状に引き伸ばした合成繊維には親水処理を施しているので、袋体１内で漏れた液を誘引し、吸収材６の繊維間の隙間に吸収し保持することができる。前記親水処理を施した合成繊維にあっては、本例では、合成繊維の表面に親水処理を施した熱可塑性樹脂をラミネートしたものであるので、合成繊維の表面にラミネートした熱可塑性樹脂が袋体１内で漏れた液を誘引し、吸収材６の繊維間の隙間に吸収し保持することができる。
また、本例では、前記繊維状に引き伸ばす合成樹脂は、親水基を有する合成樹脂であるので、袋体１内で漏れた液を一層効果的に誘引し、吸収材６の繊維間の隙間に吸収し保持することができる。
【００３５】
また、本例では、袋体１の開口部２を封止する封止部３がジッパー又はシールチャックであるので、袋体１の開口部２の開封、封止の操作が容易となり、袋体１の開口部２の開封に際し、はさみ、ナイフ等の危険な用具が不要となる。
また、本例では、包装材４，５となる合成樹脂フィルムが透明であるので、袋体１内の収納物の状態が袋体１外より確認することができ、未開封状態で外側より、例えば、袋体１内の収納物に貼り付けられたラベル或いはバーコードを外から確認することができる。
また、本例では、更に包装材４，５及び吸収材６を縦方向に熱溶着して袋体１の略中央部に分割シール部８を形成しているので、袋体１で吸収材６の浮き上がりが防止できるとともに、１つの包装袋内に、例えば液体を入れた２個の容器を区分して入れることができ、仮に一方の容器から液が漏れても分割シール部８で仕切られている他方の容器を汚さなくてすむ。
【符号の説明】
【００３６】
１  袋体
２  開口部
３  封止部
３ａ  凹溝条部
３ｂ  凸条部
４，５  包装材
６  吸収材
７  縁部
８  分割シール部
９  熱溶着部分
【図１】
2011052000.tif 000003
【図２】
2011052000.tif 000004
【図３】
2011052000.tif 000005
【図４】
2011052000.tif 000006
【手続補正書】
【提出日】平成24年9月26日(2012.9.26)
【手続補正１】
【補正対象書類名】明細書
【補正対象項目名】００３１
【補正方法】変更
【補正の内容】
【００３１】
また、袋体１の開口部２に備えた封止部３にあっては、開口部２を密に封止できるものであれば特に限定されないが、ジッパー又はシールチャックであることが好ましい。本例では包装材４，５の一方の上縁に設けられた凹溝条部３ａと、他方の上縁に設けられ凹溝条部３ａに密に嵌合する凸条部３ｂとで構成されている。
【国際調査報告】
2011052000.tif 000007
2011052000.tif 000008
2011052000.tif 000009
2011052000.tif 000010